(57)【要約】【課題】トータルコストの低減に寄与する放射線防護服を提供する。【解決手段】放射線防護服１０は、タングステン、鉛及びスズのいずれかが主成分である複数の遮蔽シート片１２と、複数の遮蔽シート片１２を部分的に重ねて隙間がない状態で並べて基布１４に保持するための複数の遮蔽シート片保持部１６と、を備え、各遮蔽シート片保持部１６は袋状体（又はスリーブ状体）で各遮蔽シート片１２を保持／取出し自在であり、且つ、少なくとも一部が透明又は半透明で内側に保持される遮蔽シート片１２を外側から目視可能である。【選択図】図１
0003174183.tif 000002
【実用新案登録請求の範囲】
【請求項１】
タングステン、鉛及びスズのいずれかが主成分である複数の遮蔽シート片と、複数の前記遮蔽シート片を部分的に重ねた隙間がない状態で並べて基布に保持するための複数の遮蔽シート片保持部と、を備え、各前記遮蔽シート片保持部は袋状体又はスリーブ状体で各前記遮蔽シート片を保持／取出し自在であり、且つ、少なくとも一部が透明又は半透明で内側に保持される前記遮蔽シート片を外側から目視可能であることを特徴とする放射線防護服。
【請求項２】
請求項１において、
前記遮蔽シート片の主成分はタングステンであることを特徴とする放射線防護服。
【請求項３】
請求項１又は２において、
複数の前記遮蔽シート片が並ぶ方向の各前記遮蔽シート片の長さの半分よりも長い重なり代で複数の前記遮蔽シート片を部分的に重ねて前記基布に保持するように複数の前記遮蔽シート片保持部が前記基布に設置されていることを特徴とする放射線防護服。
【請求項４】
請求項１乃至３のいずれかにおいて、
１つの前記遮蔽シート片保持部が２枚以上の前記遮蔽シート片を重ねて保持可能であることを特徴とする放射線防護服。
【請求項５】
請求項１乃至４のいずれかにおいて、
各前記遮蔽シート片は前記基布の横方向の一端近傍から他端近傍に亘って配置される帯状体であり、各前記遮蔽シート片保持部は前記基布の前記横方向の一端近傍から他端近傍に亘って配置された前記横方向に長く前記横方向の端部が開口部である袋状体又はスリーブ状体で上端部において吊り下げられるように前記基布に取付けられており、複数の前記遮蔽シート片を上下方向に並べて、且つ、部分的に重ねて前記基布に保持するように複数の前記遮蔽シート片保持部が上下方向に並んで、且つ、部分的に重なって前記基布に設置されていることを特徴とする放射線防護服。
【考案の詳細な説明】
【技術分野】
【０００１】
この考案は、原子力関連施設等で用いられる放射線防護服に関する。
【背景技術】
【０００２】
従来、例えば原子力発電所や放射線診断、放射線治療を行う医療施設等の原子力関連施設においてエプロン型やコート型等の放射線防護服が用いられている（例えば特許文献１、２参照）。放射線を遮蔽する効果が高い材料としては鉛、タングステン、スズ等の重金属が知られており、このような重金属を粉末状にして樹脂やゴムと配合したシート材が放射線防護服の素材として用いられている（例えば特許文献３参照）。尚、鉛は安価であるものの人体に有害であるのに対しタングステンは無害で環境への影響が小さいという点でタングステンを配合したシート材が好ましいと考えられている。
【先行技術文献】
【特許文献】
【０００３】
【特許文献１】特開２０１０−１８９８０５号公報
【特許文献２】登録実用新案第３１５５２６８号公報
【特許文献３】登録実用新案第３０９８３１７号公報
【考案の概要】
【考案が解決しようとする課題】
【０００４】
しかしながら、このような重金属を配合したシート材は一定の柔軟性は備えているものの、着用されて曲折を繰り返すうちにひび割れのような破損が生じてしまうことがある。特にタングステンを配合したシート材はこのような破損が生じやすい傾向がある。このような破損はたとえ部分的であってもその個所からの被曝が懸念されるため破損が生じた場合には新たな放射線防護服と交換されることが多く放射線防護服のトータルコストの増大の一因となりうる。
【０００５】
本考案はこのような問題に鑑みてなされたものであって、トータルコストの低減に寄与する放射線防護服を提供することをその課題とする。
【課題を解決するための手段】
【０００６】
本考案は、タングステン、鉛及びスズのいずれかが主成分である複数の遮蔽シート片と、複数の遮蔽シート片を部分的に重ねた隙間がない状態で並べて基布に保持するための複数の遮蔽シート片保持部と、を備え、各遮蔽シート片保持部は袋状体又はスリーブ状体で各遮蔽シート片を保持／取出し自在であり、且つ、少なくとも一部が透明又は半透明で内側に保持される遮蔽シート片を外側から目視可能である放射線防護服により上記課題を解決したものである。
【０００７】
この放射線防護服は、複数の遮蔽シート片で基布の放射線遮蔽領域を覆う構成であるので単一の遮蔽シートで基布の放射線遮蔽領域を覆う場合よりも着用時において各遮蔽シート片に大きな曲げが生じにくく遮蔽シート片の破損が生じにくい。又、各遮蔽シート片保持部は袋状体又はスリーブ状体で各遮蔽シート片を保持／取出し自在であるので、いずれかの遮蔽シート片が破損した場合でも、その遮蔽シート片のみを交換することで継続して使用可能である。従って、放射線防護服のトータルコストの低減に寄与する。更に、遮蔽シート片保持部は少なくとも一部が透明又は半透明で内側に保持される遮蔽シート片を外側から目視可能であるので、遮蔽シート片の破損の有無の点検が容易である。又、誤っていずれかの遮蔽シート片保持部に遮蔽シート片が保持されていない状態で放射線防護服が着用されることを防止又は抑制することもできる。又、この放射線防護服は、複数の遮蔽シート片を部分的に重ねた隙間がない状態で並べて基布に保持する構成であるので、単一の遮蔽シートと同様に放射線を遮蔽することができる。
【考案の効果】
【０００８】
本考案は、放射線防護服のトータルコストの低減に寄与する。
【図面の簡単な説明】
【０００９】
【図１】本考案の実施形態に係る放射線防護服の裏地布が取り外された状態を模式的に示す後面図
【図２】同放射線防護服の裏地布を模式的に示す前面図
【図３】同放射線防護服の一部を拡大して模式的に示す側面図
【図４】同放射線防護服の遮蔽シート片の設置態様の一例を模式的に示す側面図
【図５】同遮蔽シート片の設置態様の他の一例を模式的に示す側面図
【図６】同遮蔽シート片の設置態様の他の一例を模式的に示す側面図
【図７】同遮蔽シート片の設置態様の他の一例を模式的に示す側面図
【考案を実施するための形態】
【００１０】
図１〜３に示されるように本実施形態に係る放射線防護服１０はエプロン型であり、タングステン、鉛及びスズのいずれかが主成分である複数の遮蔽シート片１２と、複数の遮蔽シート片１２を部分的に重ねた隙間がない状態で並べて基布１４に保持するための複数の遮蔽シート片保持部１６と、を備え、各遮蔽シート片保持部１６は袋状体（又はスリーブ状体）で各遮蔽シート片１２を保持／取出し自在であり、且つ、少なくとも一部が透明又は半透明で内側に保持される遮蔽シート片１２を外側から目視可能であることを特徴としている。
【００１１】
尚、本考案において「複数の遮蔽シート片を部分的に重ねた隙間がない状態で並べて基布に保持する」とは前面視や後面視において複数の遮蔽シート片が部分的に重なって隙間がないように並んだ状態に保持するという意味で用いることとする。図３に示されるように遮蔽シート片１２は遮蔽シート片保持部１６内に保持され、隣り合う遮蔽シート片１２の間には遮蔽シート片保持部１６が介在する。又、遮蔽シート片１２と遮蔽シート片保持部１６との間には隙間が生じうる。従って、隣り合う遮蔽シート片１２同士は密着することはないが、前面視や後面視において複数の遮蔽シート片が隙間がないように部分的に重なって並んだ状態で保持されていれば本考案の「複数の遮蔽シート片を部分的に重ねた隙間がない状態で並べて基布に保持する」に該当するものとする。
【００１２】
又、本考案において「スリーブ状体」とは袋状体における開口部と反対側の端部も開口部とした形態という意味で用いることとする。
【００１３】
遮蔽シート片１２は基布１４の横方向の一端近傍から他端近傍に亘って配置される帯状体である。遮蔽シート片１２の長さは例えば１００〜５００ｍｍである。尚、図１では放射線防護服１０における胴に相当する部分の幅は一定であり、この部分に保持される遮蔽シート片１２の長さは一定（一例として５００ｍｍ）である。一方、放射線防護服１０における胸や首の周辺に相当する部分の幅は胴に相当する部分の幅よりも狭くこの部分に保持される遮蔽シート片１２の長さは胴に相当する部分に保持される遮蔽シート片１２の長さよりも短い。又、遮蔽シート片１２の幅は例えば１００ｍｍである。又、遮蔽シート片１２の厚さは例えば０．５〜２．０ｍｍ（一例として１．０ｍｍ）である。遮蔽シート片１２の材料は例えば、タングステン、鉛又はスズ等の重金属の粉末をエラストマー等の樹脂やゴムに配合したシート材である。環境への影響が小さいという点では遮蔽シート片１２の主成分はタングステンであることが好ましい。主成分がタングステンである材料としては例えば日本タングステン株式会社製のタングステンシートを用いることができる。尚、このタングステンシートは厚さが１ｍｍの場合、鉛当量が約１ｍｍＰｂ（より詳細には１．１〜１．２ｍｍＰｂ）である。
【００１４】
基布１４は上記のエプロンの形状をなしており所定の幅（例えば５０ｍｍ程度）の外周縁部の内側が放射線遮蔽領域となっている。複数の遮蔽シート片保持部１６はこの外周縁部の内側の放射線遮蔽領域に設置されている。尚、基布１４の材料は特に限定されない。
【００１５】
遮蔽シート片保持部１６は基布１４の横方向の一端近傍から他端近傍に亘って配置された横方向に長く横方向の端部が開口部である袋状体（又はスリーブ状体）である。図３に示されるように、遮蔽シート片保持部１６は上端部において吊り下げられるように基布１４に取付けられている。又、複数の遮蔽シート片１２を上下方向に並べて、且つ、部分的に重ねて基布１４に保持するように、複数の遮蔽シート片保持部１６も上下方向に並んで、且つ、部分的に重なって基布１４に設置されている。より詳細には、複数の遮蔽シート片１２が並ぶ方向（上下方向）の各遮蔽シート片１２の長さ（幅）の半分よりも長い重なり代で複数の遮蔽シート片１２を部分的に重ねて基布１４に保持するように複数の遮蔽シート片保持部１６が基布１４に設置されている。遮蔽シート片保持部１６の長さは遮蔽シート片１２と同様に例えば１００〜５００ｍｍである。尚、遮蔽シート片１２と同様に放射線防護服１０における胴に相当する部分に設置された遮蔽シート片保持部１６の長さは一定（一例として５００ｍｍ）である。一方、放射線防護服１０における胸や首の周辺に相当する部分に設置された遮蔽シート片保持部１６の長さは胴に相当する部分に設置された遮蔽シート片保持部１６の長さよりも短い。又、遮蔽シート片保持部１６の内側の隙間の（上下方向の）幅は遮蔽シート片１２の幅と同じくらい又は遮蔽シート片１２の幅よりも若干広い。１つの遮蔽シート片保持部１６は２枚の遮蔽シート片１２を重ねて保持可能である。遮蔽シート片保持部１６の材料としては、例えばビニールシートを用いることができる。尚、遮蔽シート片保持部１６の内側に保持される遮蔽シート片１２の破損の有無を目視により確認できる程度に一部が透明又は半透明であれば、遮蔽シート片保持部１６の他の部分は透明又は半透明でなくてもよい。例えば遮蔽シート片保持部１６の材料はメッシュ状の補強材等が入った透明又は半透明のシート材であってもよい。このようなシート材を袋状体（又はスリーブ状体）に加工することにより遮蔽シート片保持部１６が得られる。
【００１６】
又、放射線防護服１０は、基布１４と同じ形状の裏地布１８を備えている。基布１４と裏地布１８における外周縁部の対応する位置にはそれぞれ面ファスナ１４Ａ、１８Ａが配設されており、これら面ファスナ１４Ａ、１８Ａにより基布１４と裏地布１８は係着／取外し自在とされている。遮蔽シート片１２及び遮蔽シート片保持部１６は常態（面ファスナ１４Ａ、１８Ａが係着した状態）で基布１４と裏地布１８の間に挟まれるように収容され外側に露出しないようになっている。
【００１７】
次に放射線防護服１０の作用について説明する。放射線防護服１０は、複数の遮蔽シート片１２で基布１４の放射線遮蔽領域を覆う構成であるので単一の遮蔽シートで基布の放射線遮蔽領域を覆う場合よりも着用時において各遮蔽シート片１２に大きな曲げが生じにくく遮蔽シート片１２の破損が生じにくい。又、各遮蔽シート片保持部１６は袋状体又はスリーブ状体で各遮蔽シート片１２を保持／取出し自在であるので、いずれかの遮蔽シート片１２が破損した場合でも、その遮蔽シート片１２のみを交換することで放射線防護服１０は継続して使用可能である。従って、放射線防護服のトータルコストの低減に寄与する。
【００１８】
特に、放射線防護服１０は、基布１４の横方向の一端近傍から他端近傍に亘って配置される帯状体の複数の遮蔽シート片１２を上下方向に並べて、且つ、部分的に重ねて基布１４に保持する構成であるので、簡単な構成でありながら着用時において遮蔽シート片１２に大きな曲げが生じにくくなっており、又、遮蔽シート片１２の交換等も容易である。
【００１９】
更に、遮蔽シート片保持部１６は少なくとも一部が透明又は半透明で内側に保持される遮蔽シート片１２を外側から目視可能であるので、遮蔽シート片１２の破損の有無の点検が容易である。又、誤っていずれかの遮蔽シート片保持部１６に遮蔽シート片１２が保持されていない状態で放射線防護服が着用されることを防止又は抑制することもできる。
【００２０】
又、放射線防護服１０は、複数の遮蔽シート片１２を部分的に重ねた隙間がない状態で並べて基布１４に保持する構成であるので、単一の遮蔽シートと同様に放射線を遮蔽できる。尚、放射線防護服１０はエプロン型であるので１着の放射線防護服１０を人体の前面側に着用し他の１着の放射線防護服１０を人体の背面側に着用するというような使い方も可能であり、このようにすることで人体の前面側だけでなく背面側においても放射線を遮蔽できる。
【００２１】
又、複数の遮蔽シート片１２が並ぶ方向（上下方向）の各遮蔽シート片１２の長さ（上下方向の幅）の半分よりも長い重なり代で複数の遮蔽シート片１２を部分的に重ねて基布１４に保持するように、複数の遮蔽シート片保持部１６が基布１４に設置されているので、総ての遮蔽シート片保持部１６に遮蔽シート片１２を１枚ずつ保持すれば図４に模式的に示されるように２枚の遮蔽シート片１２の厚さの分の放射線遮蔽効果が得られる。又、１つおきの遮蔽シート片保持部１６に遮蔽シート片１２を１枚ずつ保持し、他の１つおきの遮蔽シート片保持部１６には遮蔽シート片１２を保持しないようにすれば図５に模式的に示されるように１枚の遮蔽シート片１２の厚さの分の放射線遮蔽効果が得られる。即ち、鉛当量の調整が可能である。尚、図４、５では遮蔽シート片１２の設置態様がわかりやすいように便宜上、遮蔽シート片保持部１６等の他の要素の図示を省略している。後述する図６、７についても同様である。例えば、想定される放射線の線量が比較的低い場合には１つおきの遮蔽シート片保持部１６には遮蔽シート片１２を保持しないで他の１つおきの遮蔽シート片保持部１６に遮蔽シート片１２を１枚ずつ保持することで放射線防護服１０の重量を軽減できる。又、想定される放射線の線量が比較的高い場合には総ての遮蔽シート片保持部１６に遮蔽シート片１２を１枚ずつ保持することで放射線の遮蔽効果を高めることができる。即ち、状況に応じた使い分けが可能である。
【００２２】
又、放射線防護服１０は、１つの遮蔽シート片保持部１６が２枚の遮蔽シート片１２を重ねて保持可能であるので、この点でも鉛当量の調整が可能である。例えば、総ての遮蔽シート片保持部１６に遮蔽シート片１２を２枚ずつ保持すれば図６に模式的に示されるように４枚の遮蔽シート片１２の厚さの分の放射線遮蔽効果が得られる。又、１つおきの遮蔽シート片保持部１６に遮蔽シート片１２を１枚ずつ保持し、他の１つおきの遮蔽シート片保持部１６には遮蔽シート片１２を２枚ずつ保持するようにすれば図７に模式的に示されるように３枚の遮蔽シート片１２の厚さの分の放射線遮蔽効果が得られる。即ち、図４〜７に示されるような４段階の鉛当量の調整が可能であり、例えば１枚の遮蔽シート片１２の厚さの分の放射線遮蔽効果（鉛当量）が１ｍｍＰｂであれば、１、２、３、４ｍｍＰｂという４段階の鉛当量の調整が可能である。遮蔽シート片１２の材料として日本タングステン株式会社製の厚さが１ｍｍのタングステンシート（鉛当量が約１ｍｍＰｂ）を用いて図４〜７に示されるような１、２、３、４ｍｍＰｂの鉛当量を実現した場合のセシウム１３７、コバルト６０のγ線の遮蔽効果を表１に示す。又、１、２、３、４ｍｍＰｂの鉛当量を実現した場合の放射線防護服１０の重量を表１に併記する。
【００２３】
【表１】
0003174183.tif 000003
【００２４】
尚、本実施形態では１つの遮蔽シート片保持部１６が２枚の遮蔽シート片１２を重ねて保持可能であるが、１つの遮蔽シート片保持部１６が３枚以上の遮蔽シート片１２を重ねて保持可能である構成としてもよい。このようにすることで更に多段階の鉛当量の調整が可能である。一方、２段階の鉛当量の調整で充分であれば１つの遮蔽シート片保持部１６が１枚のみの遮蔽シート片１２を保持可能である構成としてもよい。
【００２５】
又、本実施形態において、複数の遮蔽シート片保持部１６は、複数の遮蔽シート片１２が並ぶ方向の各遮蔽シート片１２の長さ（幅）の半分よりも長い重なり代で複数の遮蔽シート片１２を部分的に重ねて基布１４に保持するように基布１４に設置されているが、複数の遮蔽シート片１２が並ぶ方向の各遮蔽シート片１２の長さ（幅）の半分又はこれよりも短い重なり代で複数の遮蔽シート片１２を部分的に重ねて基布１４に保持するように複数の遮蔽シート片保持部１６が基布１４に設置される構成としてもよい。例えば、図１及び３に示される構成において１つおきの遮蔽シート片保持部１６を省略した構成としてもよい。この場合、総ての遮蔽シート片保持部１６に遮蔽シート片１２を１枚ずつ保持すれば図５に模式的に示されるように１枚の遮蔽シート片１２の厚さの分の放射線遮蔽効果が得られる。又、１つの遮蔽シート片保持部１６が２枚の遮蔽シート片１２を重ねて保持可能であれば、総ての遮蔽シート片保持部１６に遮蔽シート片１２を２枚ずつ保持することで２枚の遮蔽シート片１２の厚さの分の放射線遮蔽効果が得られ、２段階の鉛当量の調整が可能である。又、１つの遮蔽シート片保持部１６が３枚以上の遮蔽シート片１２を重ねて保持可能であれば３段階以上の鉛当量の調整も可能である。
【００２６】
又、本実施形態において各遮蔽シート片１２は基布１４の横方向の一端近傍から他端近傍に亘って配置される帯状体であり、各遮蔽シート片保持部１６も基布１４の横方向の一端近傍から他端近傍に亘って配置された横方向に長く横方向の端部が開口部である袋状体（又はスリーブ状体）で上端部において吊り下げられるように基布１４に取付けられており、複数の遮蔽シート片１２を上下方向に並べて、且つ、部分的に重ねて基布１４に保持するように複数の遮蔽シート片保持部１６が上下方向に並んで、且つ、部分的に重なって基布１４に設置されているが、各遮蔽シート片は基布の縦方向（上下方向）の一端近傍から他端近傍に亘って配置される帯状体であり、各遮蔽シート片保持部も基布の縦方向の一端近傍から他端近傍に亘って配置された縦方向に長く上端部が開口部である袋状体で上端部において吊り下げられるように基布に取付けられ、複数の遮蔽シート片を横方向に並べて、且つ、部分的に重ねて基布に保持するように複数の遮蔽シート片保持部が横方向に並んで、且つ、部分的に重なって基布に設置された構成としてもよい。
【００２７】
又、各遮蔽シート片及び各遮蔽シート片保持部は例えば本実施形態の帯状体よりもアスペクト比（長辺／短辺）が小さい長方形又は正方形であり、複数の遮蔽シート片を縦方向及び横方向に並べて、且つ、縦方向及び横方向に部分的に重ねて基布に保持するように複数の遮蔽シート片保持部が縦方向及び横方向に並んで、且つ、部分的に重なって基布に設置された構成としてもよい。
【００２８】
又、本実施形態において放射線防護服１０はエプロン型であるが例えばコート型の放射線防護服や下半身を放射線から遮蔽するための放射線防護服等の他の形態の放射線防護服にも本考案は適用可能である。
【産業上の利用可能性】
【００２９】
本考案は、例えば原子力発電所や放射線診断、放射線治療を行う医療施設等の原子力関連施設において使用される放射線防護服に利用できる。
【符号の説明】
【００３０】
１０…放射線防護服
１２…遮蔽シート片
１４…基布
１４Ａ、１８Ａ…面ファスナ
１６…遮蔽シート片保持部
１８…裏地布
【図１】
0003174183.tif 000004
【図２】
0003174183.tif 000005
【図３】
0003174183.tif 000006
【図４】
0003174183.tif 000007
【図５】
0003174183.tif 000008
【図６】
0003174183.tif 000009
【図７】
0003174183.tif 000010